(57)【要約】【課題】コールピックアップ制御におけるネットワークの負荷を軽減し、無駄な呼リソースを発生させない。【解決手段】ゲートキーパ装置１０１は、ピックアップ情報メモリ装置２０１とコールピックアップ制御部２０２を備えている。ピックアップ情報メモリ装置２０１は、コールピックアップに関連してエンドポイント装置のアドレスと動作状態とピックアップグループを管理している。コールピックアップ操作情報を受信すると、コールピックアップ制御部２０２は、ピックアップ情報メモリ装置２０１の管理情報に基づいてコールピックアップ可能なエンドポイント装置を抽出してＩＰアドレスリストを編集してＨ．３２３の参加拒否（ＡＲＪ）メッセージに載せてピックアップ操作エンドポイント装置へ送信する。ピックアップ操作エンドポイント装置は、受信したＩＰアドレスリストに従ってコールピックアップ要求を行う。【選択図】      図２
2005012313.tif 000002
【特許請求の範囲】
【請求項１】
コールピックアップに関連してエンドポイント装置のアドレス及び動作状態を管理するピックアップ情報管理手段と、コールピックアップの操作情報を受信して前記ピックアップ情報管理手段の管理情報を基にコールピックアップ可能なエンドポイント装置のＩＰアドレスをコールピックアップ操作したエンドポイント装置に対して通知するコールピックアップ制御手段と、を具備することを特徴とする通信制御装置。
【請求項２】
前記ピックアップ情報管理手段は、前記エンドポイント装置のエイリアスアドレスとＩＰアドレスとを対応付けて記憶するＩＰアドレス記憶手段と、前記エイリアスアドレスに対応する前記エンドポイント装置の状態を記憶するエンドポイント状態記憶手段と、を有し、前記コールピックアップ制御手段は、コールピックアップの操作情報を受信して着信接続中状態にある着信エンドポイント装置の前記エイリアスアドレスを前記エンドポイント状態記憶手段を参照して抽出する着信エンドポイント抽出手段と、前記着信エンドポイント抽出手段で抽出された前記エイリアスアドレスに対応するＩＰアドレスを前記ＩＰアドレス記憶手段から読み出してＩＰアドレスリストを編集するＩＰアドレスリスト編集手段と、を具備することを特徴とする請求項１記載の通信制御装置。
【請求項３】
前記ピックアップ情報管理手段は、ピックアップグループ番号ごとに前記エンドポイント装置のエイリアスアドレスを記憶するピックアップグループ記憶手段を有し、前記コールピックアップ制御手段は、コールピックアップ操作したエンドポイント装置のエイリアスアドレスを受信して前記ピックアップグループ記憶手段を参照してコールピックアップメンバーの前記エイリアスアドレスを認識するピックアップメンバー認識手段を備えることを特徴とする請求項１又は請求項２に記載の通信制御装置。
【請求項４】
前記エンドポイント装置は、コールピックアップ操作のためのピックアップボタンを有し、前記ピックアップボタンが操作されることにより送信されたピックアップ操作を示す情報を含んだＩＴＵ−Ｔ勧告Ｈ．３２３の参加要求（ＡＲＱ）メッセージを受信して前記コールピックアップ制御手段がコールピックアップ制御を行うことを特徴とする請求項１から請求項３のいずれかに記載の通信制御装置。
【請求項５】
前記ピックアップ情報管理手段は、特定番号の示す情報を記憶する特番情報記憶手段を有し、前記コールピックアップ制御手段は、前記エンドポイント装置が前記特定番号をダイヤルすることによりコールピックアップ操作を行った時に前記特定番号を受信して前記特番情報記憶手段を検索してコールピックアップ動作を認識する特定番号認識手段を具備することを特徴とする請求項１から請求項３のいずれかに記載の通信制御装置。
【請求項６】
コールピックアップに関連してエンドポイント装置のアドレス及び動作状態を管理するピックアップ情報管理ステップと、コールピックアップの操作情報を受信して前記ピックアップ情報管理ステップの管理情報を基にコールピックアップ可能なエンドポイント装置のＩＰアドレスをコールピックアップ操作したエンドポイント装置に対して通知するコールピックアップ制御ステップと、を具備することを特徴とする通信制御方法。
【発明の詳細な説明】
【０００１】
【発明の属する技術分野】
本発明は、ＴＴＣ標準ＪＴ−Ｈ３２３又はＩＴＵ−Ｔ勧告Ｈ．３２３に基づくマルチメディア通信システムにおいて、ある端末への呼出に対して別の端末で代理応答する呼出呼のコールピックアップ制御に関する。
【０００２】
【従来の技術】
従来、ＴＴＣ標準ＪＴ−Ｈ３２３又はＩＴＵ−Ｔ勧告Ｈ．３２３に基づくマルチメディア通信システムにおける呼出呼のコールピックアップ方式としては、非特許文献１及び非特許文献２で公開されているものがある。
【０００３】
図１１は、従来のマルチメディア通信システムのシステム構成の一例を示すシステム図である。図１１に示すように、マルチメディア通信システム１０は、ゲートキーパ装置１１と、エンドポイント装置１２〜１７（図１１の例の場合）で構成され、それぞれＬＡＮに接続されている。ゲートキーパ装置１１は、各エンドポイント装置間の呼制御を行うとともにエンドポイント装置の登録、エンドポイント装置のアドレスの管理、通信を行うための帯域幅の管理、通信を開始する場合の許可の制御を行う。エンドポイント装置１２〜１７は、Ｈ．３２３によるマルチメディア通信システムに対応する端末であり、ＩＰ電話機、パソコン及びゲートウェイ等である。図１２は、ゲートキーパ装置１１の構成を示すブロック図である。図１２に示すように、ゲートキーパ装置１１は、エンドポイント装置１２〜１７のエイリアスアドレスとＩＰアドレスとを対応付けて記憶するＩＰアドレスメモリ部１８と、呼接続要求に応じてＩＰアドレスを送信するなど呼接続を制御する呼接続制御部１９と、ＩＰ通信のためのインターフェイスであるＴＣＰ／ＩＰ制御部２０と、を備えている。
【０００４】
次に、従来のマルチメディア通信システム１０におけるコールピックアップ動作について、図１１、図１２、図１３及び図１４を参照して説明する。図１３及び図１４は、従来のコールピックアップ動作を説明するためのシーケンス図である。図１３及び図１４において、エンドポイント装置の動作はステップＥの番号を付して示され、ゲートキーパ装置の動作はステップＧの番号を付して示される。
【０００５】
エンドポイント装置１２がエンドポイント装置１３に対して呼出をかける場合について説明する。発信エンドポイント装置１２は、自身のエイリアスアドレス（電話番号等）と着信エンドポイント装置１３のエイリアスアドレスを含んだＨ．３２３の参加要求（ＡＲＱ）メッセージをゲートキーパ装置１１へ送信する（ステップＥ１）。ゲートキーパ装置１１では、呼接続制御部１９が、受け取った着信エンドポイント装置１３のエイリアスアドレスに基づいてＩＰアドレスメモリ部１８を検索してＩＰアドレスを読み出し、ＴＣＰ／ＩＰ制御部２０を介して着信エンドポイント装置１３のＩＰアドレスを含んだＨ．３２３の参加確認（ＡＣＦ）メッセージを発信エンドポイント装置１２へ送信する（ステップＧ２）。次に、発信エンドポイント装置１２は、Ｈ．３２３の呼設定（ＳＥＴＵＰ）メッセージを着信エンドポイント装置１３へ送信する（ステップＥ３）。着信エンドポイント装置１３は、Ｈ．３２３の呼設定受付（ＣＡＬＬ  ＰＲＯＣ）メッセージを発信エンドポイント装置１２へ送信し（ステップＥ４）、自分のエイリアスアドレスを含んだＨ．３２３の参加要求（ＡＲＱ）メッセージをゲートキーパ装置１１へ送信する（ステップＥ５）。ゲートキーパ装置１１は、Ｈ．３２３の参加確認（ＡＣＦ）メッセージを着信エンドポイント装置１３へ送信する（ステップＧ６）。着信エンドポイント装置１３は、Ｈ．３２３の呼出（ＡＬＥＲＴ）メッセージを発信エンドポイント装置１２へ送信する（ステップＥ７）。
【０００６】
ステップＥ８において、着信エンドポイント装置１３は、コールピックアップ可能であることを知らせる情報を含んだＨ．３２３の呼設定（ＳＥＴＵＰ）メッセージをコールピックアップ操作が可能なコールピックアップメンバー全てのエンドポイント装置に対して順番に送信する。この時、受信したエンドポイント装置は、Ｈ．３２３の解放完了（ＲＥＬ  ＣＯＭＰ）メッセージを着信エンドポイント装置１３に対して返信する。この時点で、着信エンドポイント装置１３は着信状態であり、コールピックアップメンバーのエンドポイント装置は、コールピックアップ可能状態となる。
【０００７】
次に、エンドポイント装置１５がコールピックアップを行う場合について説明する。エンドポイント装置１５がコールピックアップ操作を行うと、ピックアップ操作エンドポイント装置１５は、自身のエイリアスアドレスとコールピックアップしようとする着信エンドポイント装置１３のエイリアスアドレスを含んだＨ．３２３の参加要求（ＡＲＱ）メッセージをゲートキーパ装置１１へ送信する（ステップＥ９）。ゲートキーパ装置１１では、呼接続制御部１９が、受け取った着信エンドポイント装置１３のエイリアスアドレスに基づいてＩＰアドレスメモリ部１８を検索してＩＰアドレスを読み出し、ＴＣＰ／ＩＰ制御部２０を介して着信エンドポイント装置１３のＩＰアドレスを含んだＨ．３２３の参加確認（ＡＣＦ）メッセージをピックアップ操作エンドポイント装置１５へ送信する（ステップＧ１０）。
【０００８】
次に、ピックアップ操作エンドポイント装置１５は、コールピックアップ要求の情報を含んだＨ．３２３の呼設定（ＳＥＴＵＰ）メッセージを着信エンドポイント装置１３へ送信する（ステップＥ１１）。着信エンドポイント装置１３は、コールピックアップ要求があるという情報を含んだＨ．３２３のファシリティ（ＦＡＣＩＬＩＴＹ）メッセージを発信エンドポイント装置１２へ送信する（ステップＥ１２）。発信エンドポイント装置１２は、コールピックアップ要求を確認したという情報を含んだＨ．３２３のファシリティ（ＦＡＣＩＬＩＴＹ）メッセージを着信エンドポイント装置１３へ送信する（ステップＥ１３）。着信エンドポイント装置１３は、コールピックアップ要求成功であるという情報を含んだＨ．３２３のファシリティ（ＦＡＣＩＬＩＴＹ）メッセージをピックアップ操作エンドポイント装置１５へ送信する（ステップＥ１４）。
【０００９】
ピックアップ操作エンドポイント装置１５は、着信エンドポイント装置１３に対してステップＥ１１において呼設定（ＳＥＴＵＰ）メッセージを送信して通信を行っているため、通信を終了するためにＨ．３２３の解放完了（ＲＥＬ  ＣＯＭＰ）メッセージを着信エンドポイント装置１３へ送信する（ステップＥ１５）。さらに、ピックアップ操作エンドポイント装置１５は、Ｈ．３２３の離脱要求（ＤＲＱ）メッセージをゲートキーパ装置１１へ送信する（ステップＥ１６）。ゲートキーパ装置１１は、Ｈ．３２３の離脱確認（ＤＣＦ）メッセージをピックアップ操作エンドポイント装置１５へ送信する（ステップＧ１７）。ここまでのステップで、コールピックアップの要求が受け入れられたことになる。
【００１０】
次に、接続動作について説明する。発信エンドポイント装置１２は、コールピックアップ接続であることを示す情報を含んだＨ．３２３の参加要求（ＡＲＱ）メッセージをゲートキーパ装置１１へ送信する（ステップＥ１８）。ゲートキーパ装置１１は、Ｈ．３２３の参加確認（ＡＣＦ）メッセージを発信エンドポイント装置１２へ送信する（ステップＧ１９）。発信エンドポイント装置１２は、コールピックアップ接続要求であることを示す情報を含んだＨ．３２３の呼設定（ＳＥＴＵＰ）メッセージをピックアップ操作エンドポイント装置１５へ送信する（ステップＥ２０）。ピックアップ操作エンドポイント装置１５は、Ｈ．３２３の参加要求（ＡＲＱ）メッセージをゲートキーパ装置１１へ送信する（ステップＥ２１）。ゲートキーパ装置１１は、Ｈ．３２３の参加確認（ＡＣＦ）メッセージをピックアップ操作エンドポイント装置１５へ送信する（ステップＧ２２）。ピックアップ操作エンドポイント装置１５は、コールピックアップ接続成功であることを示す情報を含んだＨ．３２３の応答（ＣＯＮＮ）メッセージを発信エンドポイント装置１２へ送信する（ステップＥ２３）。この時点で、発信エンドポイント装置１２とピックアップ操作エンドポイント装置１５は、それぞれネットワーク上で通話路の形成を行って、お互いに通話可能な状態となる（ステップＥ２４）。
【００１１】
次に、呼び出した着信エンドポイント装置に対する呼出の停止動作について説明する。発信エンドポイント装置１２は、Ｈ．３２３の解放完了（ＲＥＬ  ＣＯＭＰ）メッセージを着信エンドポイント装置１３へ送信する（ステップＥ２５）。また、発信エンドポイント装置１２は、Ｈ．３２３の離脱要求（ＤＲＱ）メッセージをゲートキーパ装置１１へ送信する（ステップＥ２６）。ゲートキーパ装置１１は、Ｈ．３２３の離脱確認（ＤＣＦ）メッセージを発信エンドポイント装置１２へ送信する（ステップＧ２７）。着信エンドポイント装置１３は、Ｈ．３２３の離脱要求（ＤＲＱ）メッセージをゲートキーパ装置１１へ送信する（ステップＥ２８）。ゲートキーパ装置１１は、Ｈ．３２３の離脱確認（ＤＣＦ）メッセージを着信エンドポイント装置１３へ送信する（ステップＧ２９）。
【００１２】
ステップＥ３０において、着信エンドポイント装置１３は、コールピックアップ不可能であることを知らせる情報を含んだＨ．３２３の呼設定（ＳＥＴＵＰ）メッセージをピックアップ操作エンドポイント装置１５を除くコールピックアップメンバーのエンドポイント装置に対して順番に送信する。この時、受信したエンドポイント装置は、Ｈ．３２３の解放完了（ＲＥＬ  ＣＯＭＰ）メッセージを着信エンドポイント装置１３に対して返信する。
【００１３】
以上のように、従来のマルチメディア通信システム１０におけるコールピックアップ制御では、エンドポイント装置に着信があった場合に、コールピックアップ可能である状態をコールピックアップ操作が可能な全エンドポイント装置に通知し、コールピックアップされるなどコールピックアップが不可能になった時には、コールピックアップ不可能である状態をコールピックアップ操作したエンドポイント装置を除く全エンドポイント装置に通知する方式である。また、コールピックアップ操作時において、Ｈ．３２３の参加要求（ＡＲＱ）メッセージに対して参加確認（ＡＣＦ）メッセージを返信して呼設定（ＳＥＴＵＰ）メッセージを使用する方式である。
【００１４】
【非特許文献１】
ＪＴ−Ｈ４５０．５
ＪＴ−Ｈ３２３のためのコールパーク、コールピックアップ付加サービス
社団法人    電信電話技術委員会
【非特許文献２】
ＩＮＴＥＲＮＡＴＩＯＮＡＬ  ＴＥＬＥＣＯＭＭＵＮＩＣＡＴＩＯＮ  ＵＮＩＯＮ
ＴＥＲＥＣＯＭＭＵＮＩＣＡＴＩＯＮ  ＳＴＡＮＤＡＲＤＩＺＡＴＩＯＮ  ＳＥＣＴＯＲ  ＯＦ  ＩＴＵ
Ｃａｌｌ  ｐａｒｋ  ａｎｄ  Ｃａｌｌ  ｐｉｃｋｕｐ  ｓｕｐｐｌｅｍｅｎｔａｒｙ  ｓｅｒｖｉｃｅｓ  ｆｏｒ  Ｈ．３２３
ＩＴＵ−Ｔ  Ｒｅｃｏｍｍｅｎｄａｔｉｏｎ  Ｈ．４５０．５
【００１５】
【発明が解決しようとする課題】
しかしながら、従来のマルチメディア通信システムのコールピックアップ制御においては、コールピックアップ操作が可能な全てのエンドポイント装置へ通知を行うため、コールピックアップ操作を意図していないエンドポイント装置へも通知され、コールピックアップ操作が可能なエンドポイント装置の数の増加に伴ってネットワークに対する負荷が増大するという問題がある。また、コールピックアップ操作時において、Ｈ．３２３の参加確認（ＡＣＦ）メッセージと呼設定（ＳＥＴＵＰ）メッセージを使用するため、Ｈ．３２３のプロトコルに基づいて、解放完了（ＲＥＬ  ＣＯＭＰ）メッセージ、離脱要求（ＤＲＱ）メッセージ及び離脱確認（ＤＣＦ）メッセージという無駄な呼リソースが発生するという問題がある。
【００１６】
本発明はかかる点に鑑みてなされたものであり、ＴＴＣ標準ＪＴ−Ｈ３２３又はＩＴＵ−Ｔ勧告Ｈ．３２３に基づくマルチメディア通信システムのコールピックアップ制御において、ネットワーク負荷の軽減が図れ、無駄な呼リソースを軽減できる通信制御装置および通信制御方法を提供することを目的とする。
【００１７】
【課題を解決するための手段】
本発明は、コールピックアップに関連してエンドポイント装置のアドレス及び動作状態を管理するピックアップ情報管理手段と、コールピックアップの操作情報を受信して前記ピックアップ情報管理手段の管理情報を基にコールピックアップ可能なエンドポイント装置のＩＰアドレスをコールピックアップ操作したエンドポイント装置に対して通知するコールピックアップ制御手段と、を具備する通信制御装置である。
【００１８】
【発明の実施の形態】
本発明の第１の態様は、コールピックアップに関連してエンドポイント装置のアドレス及び動作状態を管理するピックアップ情報管理手段と、コールピックアップの操作情報を受信して前記ピックアップ情報管理手段の管理情報を基にコールピックアップ可能なエンドポイント装置のＩＰアドレスをコールピックアップ操作したエンドポイント装置に対して通知するコールピックアップ制御手段と、を具備する通信制御装置である。
【００１９】
本発明によれば、コールピックアップ操作時にコールピックアップ可能なエンドポイント装置のＩＰアドレスをコールピックアップ操作したエンドポイント装置に対して通知するため、コールピックアップ操作が可能な全てのエンドポイント装置に対してコールピックアップ可能である状態及びコールピックアップ操作後のコールピックアップ不可能である状態を通知する必要がなくなり、ネットワークの負荷を軽減することができる。
【００２０】
本発明の第２の態様は、前記ピックアップ情報管理手段が、前記エンドポイント装置のエイリアスアドレスとＩＰアドレスとを対応付けて記憶するＩＰアドレス記憶手段と、前記エイリアスアドレスに対応する前記エンドポイント装置の状態を記憶するエンドポイント状態記憶手段と、を有し、前記コールピックアップ制御手段が、コールピックアップの操作情報を受信して着信接続中状態にある着信エンドポイント装置の前記エイリアスアドレスを前記エンドポイント状態記憶手段を参照して抽出する着信エンドポイント抽出手段と、前記着信エンドポイント抽出手段で抽出された前記エイリアスアドレスに対応するＩＰアドレスを前記ＩＰアドレス記憶手段から読み出してＩＰアドレスリストを編集するＩＰアドレスリスト編集手段と、を具備する通信制御装置である。
【００２１】
本発明によれば、コールピックアップ操作時に着信接続中状態にある着信エンドポイント装置のエイリアスアドレスを抽出し、前記エイリアスアドレスを基にＩＰアドレスを読み出してコールピックアップ可能なエンドポイント装置のＩＰアドレスリストを編集して通知するため、コールピックアップ操作するエンドポイント装置は前記ＩＰアドレスリストに基づいてピックアップ要求をすることができ、ピックアップ操作しないエンドポイント装置が無用な情報を受信することもなく制御が簡単化できる。
【００２２】
本発明の第３の態様は、前記ピックアップ情報管理手段が、ピックアップグループ番号ごとに前記エンドポイント装置のエイリアスアドレスを記憶するピックアップグループ記憶手段を有し、前記コールピックアップ制御手段が、コールピックアップ操作したエンドポイント装置のエイリアスアドレスを受信して前記ピックアップグループ記憶手段を参照してコールピックアップメンバーの前記エイリアスアドレスを認識するピックアップメンバー認識手段を備える通信制御装置である。
【００２３】
本発明によれば、ピックアップグループ番号ごとにエイリアスアドレスを記憶しているため、コールピックアップ操作したエンドポイント装置のエイリアスアドレスを基に同一のピックアップグループに所属するピックアップグループメンバーを認識して、ピックアップすべき着信エンドポイントを抽出することができ、ピックアップ操作エンドポイント装置の制御が簡略化できる。
【００２４】
本発明の第４の態様は、前記エンドポイント装置が、コールピックアップ操作のためのピックアップボタンを有し、前記ピックアップボタンが操作されることにより送信されたピックアップ操作を示す情報を含んだＩＴＵ−Ｔ勧告Ｈ．３２３の参加要求（ＡＲＱ）メッセージを受信して前記コールピックアップ制御手段がコールピックアップ制御を行う通信制御装置である。
【００２５】
本発明によれば、コールピックアップ操作するエンドポイント装置のピックアップボタンが操作されることにより、本発明の通信制御装置がコールピックアップ操作情報を受信してピックアップ可能なエンドポイント装置を抽出してコールピックアップ操作エンドポイント装置に返信するため、コールピックアップ操作及び制御を簡略化することができる。
【００２６】
本発明の第５の態様は、前記ピックアップ情報管理手段が、特定番号の示す情報を記憶する特番情報記憶手段を有し、前記コールピックアップ制御手段は、前記エンドポイント装置が前記特定番号をダイヤルすることによりコールピックアップ操作を行った時に前記特定番号を受信して前記特番情報記憶手段を検索してコールピックアップ動作を認識する特定番号認識手段を具備する通信制御装置である。
【００２７】
本発明によれば、コールピックアップ操作が特定番号をダイヤルすることで行われ、その特定番号を受信した通信制御装置が特定番号の意味を解釈してコールピックアップ操作の制御を行うため、エンドポイント装置の制御を簡略化することができる。
【００２８】
本発明の第６の態様は、コールピックアップに関連してエンドポイント装置のアドレス及び動作状態を管理するピックアップ情報管理ステップと、コールピックアップの操作情報を受信して前記ピックアップ情報管理ステップの管理情報を基にコールピックアップ可能なエンドポイント装置のＩＰアドレスをコールピックアップ操作したエンドポイント装置に対して通知するコールピックアップ制御ステップと、を具備する通信制御方法である。
【００２９】
本発明によれば、コールピックアップ操作時にコールピックアップ可能なエンドポイント装置のＩＰアドレスをコールピックアップ操作したエンドポイント装置に対して通知するため、コールピックアップ操作が可能な全てのエンドポイント装置に対してコールピックアップ可能である状態及びコールピックアップ操作後のコールピックアップ不可能である状態を通知する必要がなくなり、ネットワークの負荷を軽減することができる。
【００３０】
本発明の骨子は、エンドポイント装置のアドレス及び動作状態を管理して、コールピックアップ操作時にその管理情報に基づいてコールピックアップ可能なエンドポイント装置のＩＰアドレスをコールピックアップ操作したエンドポイント装置に対して通知することである。
【００３１】
以下、本発明の実施の形態について、図面を参照して詳細に説明する。
【００３２】
（実施の形態１）
図１は、本発明の実施の形態１に係るマルチメディア通信システムの構成の一例を示すシステム図である。
【００３３】
マルチメディア通信システム１００は、ゲートキーパ装置１０１と、エンドポイント装置１０２〜１０８（図１の例の場合）で構成され、それぞれＬＡＮに接続されている。ゲートキーパ装置１０１は、各エンドポイント装置のアドレスの管理、通信を行うための帯域幅の管理、通信を開始する場合の許可の制御等のいわゆるゲートキーパ機能に加えて、コールピックアップに関する制御を行う。エンドポイント装置１０２〜１０８は、Ｈ．３２３によるマルチメディア通信システムに対応する端末であり、ＩＰ電話機、パソコン及びゲートウェイ等である。
【００３４】
図２は、本発明の実施の形態１に係るゲートキーパ装置１０１の構成を示すブロック図である。
【００３５】
ゲートキーパ装置１０１は、ピックアップ情報メモリ装置２０１、コールピックアップ制御部２０２及びＴＣＰ／ＩＰ制御部２０３を備えている。ピックアップ情報メモリ装置２０１は、コールピックアップに関連してエンドポイント装置の情報を管理するメモリ装置であり、ＩＰアドレス記憶部２０４と、エンドポイント状態記憶部２０５と、ピックアップグループ記憶部２０６と、を有している。
【００３６】
図３は、ＩＰアドレス記憶部２０４の内容の一例を説明するための図である。図３に示すように、ＩＰアドレス記憶部２０４は、エンドポイント装置のエイリアスアドレスとＩＰアドレスを対応付けて記憶している。図４は、エンドポイント状態記憶部２０５の内容の一例を説明するための図である。図４に示すように、エンドポイント状態記憶部２０５は、エンドポイント装置の現在の状態をエンドポイント装置のエイリアスアドレスに対応して記憶している。図５は、ピックアップグループ記憶部２０６の内容の一例を説明するための図である。図５に示すように、ピックアップグループ記憶部２０６は、ピックアップグループごとにグループ番号とグループに属するエンドポイント装置のエイリアスアドレスをピックアップグループメンバーとして記憶している。
【００３７】
コールピックアップ制御部２０２は、コールピックアップ操作が行われた時に、ピックアップ情報メモリ装置２０１の管理情報に基づいてコールピックアップ制御を行う。コールピックアップ制御部２０２は、ピックアップメンバー認識部２０７と、着信エンドポイント抽出部２０８と、ＩＰアドレスリスト編集部２０９と、を有している。
【００３８】
ピックアップメンバー認識部２０７は、コールピックアップ操作したエンドポイント装置のエイリアスアドレスを基に、ピックアップグループ記憶部２０６からそのエンドポイント装置が属するピックアップグループ番号を検索し、同一のグループに属する他のエンドポイント装置のエイリアスアドレスを認識する。着信エンドポイント抽出部２０８は、ピックアップメンバー認識部２０７が認識した同一グループのエイリアスアドレスを基に、エンドポイント状態記憶部２０５を参照して着信接続中状態にある着信エンドポイント装置のエイリアスアドレスを抽出する。ＩＰアドレスリスト編集部２０９は、着信エンドポイント抽出部２０８が抽出した着信エンドポイント装置のエイリアスアドレスを基に、ＩＰアドレス記憶部２０４を参照して抽出した着信エンドポイント装置に対応するＩＰアドレスを読み出してＩＰアドレスリストを編集する。
【００３９】
コールピックアップ制御部２０２は、編集されたＩＰアドレスリストをコールピックアップ可能なエンドポイント装置のＩＰアドレスリストとしてＴＣＰ／ＩＰ制御部２０３を介してコールピックアップ操作したエンドポイント装置に送信する。ＴＣＰ／ＩＰ制御部２０３は、ＬＡＮ上でＩＰ通信を行うためのインターフェイスである。
【００４０】
次に、本発明の実施の形態１に係るマルチメディア通信システム１００及びゲートキーパ装置１０１の動作について、図１、図２、図３、図４、図５、図６及び図７を参照して説明する。図６は、本実施の形態１に係るマルチメディア通信システムの動作を説明するためのシーケンス図である。図７は、本実施の形態１に係るゲートキーパ装置の動作を説明するためのフローチャートである。図６及び図７において、エンドポイント装置の動作はステップＥの番号を付して示され、ゲートキーパ装置の動作はステップＧの番号を付して示される。
【００４１】
エンドポイント装置１０２がエンドポイント装置１０３に対して呼出をかける場合について説明する。発信エンドポイント装置１０２は、自身のエイリアスアドレス（電話番号等）“２００”と着信エンドポイント装置１０３のエイリアスアドレス“２０１”を含んだＨ．３２３の参加要求（ＡＲＱ）メッセージをゲートキーパ装置１０１へ送信する（ステップＥ６０１）。ゲートキーパ装置１０１では、コールピックアップ制御部２０２が、受け取った着信エンドポイント装置１０３のエイリアスアドレス“２０１”に基づいてピックアップ情報メモリ装置２０１のＩＰアドレス記憶部２０４からＩＰアドレス“１９２．１６８．１．３”を読み出し、着信エンドポイント装置１０３のＩＰアドレス“１９２．１６８．１．３”を含んだＨ．３２３の参加確認（ＡＣＦ）メッセージを発信エンドポイント装置１０２へ送信する。同時に、コールピックアップ制御部２０２は、エンドポイント状態記憶部２０５のエイリアスアドレス“２００”のエンドポイント状態を“発信接続中”にする（ステップＧ６０２）。
【００４２】
次に、発信エンドポイント装置１０２は、Ｈ．３２３の呼設定（ＳＥＴＵＰ）メッセージを着信エンドポイント装置１０３へ送信する（ステップＥ６０３）。着信エンドポイント装置１０３は、Ｈ．３２３の呼設定受付（ＣＡＬＬ  ＰＲＯＣ）メッセージを発信エンドポイント装置１０２へ送信し（ステップＥ６０４）、自分のエイリアスアドレス“２０１”を含んだＨ．３２３の参加要求（ＡＲＱ）メッセージをゲートキーパ装置１０１へ送信する（ステップＥ６０５）。ゲートキーパ装置１０１では、コールピックアップ制御部２０２が、Ｈ．３２３の参加確認（ＡＣＦ）メッセージを着信エンドポイント装置１０３へ送信する。同時に、コールピックアップ制御部２０２は、エンドポイント状態記憶部２０５のエイリアスアドレス“２０１”のエンドポイント状態を“着信接続中”にする（ステップＧ６０６）。着信エンドポイント装置１０３は、Ｈ．３２３の呼出（ＡＬＥＲＴ）メッセージを発信エンドポイント装置１０２へ送信する（ステップＥ６０７）。この時点で、着信エンドポイント装置１０３は着信状態であり、他のエンドポイント装置がコールピックアップ操作を行うと、この呼出はコールピックアップされる状態となっている。
【００４３】
次に、エンドポイント装置１０５がコールピックアップを行う場合について説明する。ピックアップ操作エンドポイント装置１０５は、ピックアップボタンが操作されてコールピックアップ操作が行われると、自身のエイリアスアドレス“２０３”とコールピックアップ操作を示す情報を含んだＨ．３２３の参加要求（ＡＲＱ）メッセージをゲートキーパ装置１０１へ送信する（ステップＥ６０８）。ゲートキーパ装置１０１は、ステップＥ６０８において参加要求（ＡＲＱ）メッセージを受け取り、ステップＧ６０９において参加拒否（ＡＲＪ）メッセージを送信するまで、図７に示す内部処理を行う。
【００４４】
ステップＧ７０１において、ゲートキーパ装置１０１のコールピックアップ制御部２０２は、参加要求（ＡＲＱ）メッセージを受信してコールピックアップ操作情報とエイリアスアドレス“２０３”を取得する。ステップＧ７０２において、コールピックアップ制御部２０２のピックアップメンバー認識部２０７が、取得したピックアップ操作エンドポイント装置１０５のエイリアスアドレス“２０３”を基にピックアップグループ記憶部２０６を検索して、エイリアスアドレス“２０３”が属するピックアップグループのグループ番号“１”と、ピックアップ操作エンドポイント装置１０５と同一グループ番号“１”に属するピックアップメンバーのエンドポイント装置のエイリアスアドレス“２００”“２０１”“２０２”等と、を認識する。
【００４５】
次にステップＧ７０３において、着信エンドポイント抽出部２０８が、認識したピックアップメンバーのエイリアスアドレス“２００”“２０１”“２０２”等のそれぞれについてエンドポイント状態記憶部２０５を参照してエンドポイント装置の状態を予め設定された順番に検索を始める。ステップＧ７０４において、着信エンドポイント抽出部２０８は、エンドポイント装置の状態が着信接続中であるか否か判定して、着信接続中であればステップＧ７０５に進む。ステップＧ７０５において、ＩＰアドレスリスト編集部２０９が、着信接続中のエイリアスアドレスを基にＩＰアドレス記憶部２０４を検索してＩＰアドレスを取得し、コールピックアップ可能なエンドポイント装置のＩＰアドレスリストとしてＨ．３２３の参加拒否（ＡＲＪ）メッセージに編集する。ステップＧ７０４において、着信接続中でなければステップＧ７０５の処理をせずにステップＧ７０６に進む。
【００４６】
次にステップＧ７０６において、同一グループ内のピックアップメンバー全てのエンドポイント装置について状態の判定が終了したか否かを確認し、終了していない場合はステップＧ７０３に戻って動作を繰り返す。この実施例の場合、エイリアスアドレス“２００”“２０１”“２０２”等について判定し、エイリアスアドレス“２０１”のエンドポイント装置が着信接続中であり、コールピックアップ可能なエンドポイント装置のＩＰアドレスリストに編集される。ステップＧ７０６において、全ピックアップメンバーの判定が終了するとＩＰアドレスリストの編集が完了して、ステップＧ７０７に進む。ステップＧ７０７において、コールピックアップ制御部２０２が、コールピックアップ可能なエンドポイント装置のＩＰアドレスリストを含んだＨ．３２３の参加拒否（ＡＲＪ）メッセージをピックアップ操作エンドポイント装置１０５へ送信する。
【００４７】
ゲートキーパ装置１０１は、ステップＧ７０１からステップＧ７０７の処理を行って、コールピックアップ可能なエンドポイント装置のＩＰアドレスリストを含んだＨ．３２３の参加拒否（ＡＲＪ）メッセージをピックアップ操作エンドポイント装置１０５へ送信する（ステップＧ６０９）。
【００４８】
次に、ピックアップ操作エンドポイント装置１０５は、受け取ったＩＰアドレスリストの順に従ってピックアップ可能な着信エンドポイント装置に対して、ピックアップ要求であることを示す情報を含んだＨ．３２３のファシリティ（ＦＡＣＩＬＩＴＹ）メッセージの送信を始める。この例の場合は、ＩＰアドレスリストには着信エンドポイント装置１０３のみがピックアップ可能であるため着信エンドポイント装置１０３に対してＨ．３２３のファシリティ（ＦＡＣＩＬＩＴＹ）メッセージを送信する（ステップＥ６１０）。着信エンドポイント装置１０３は、自身の状態をチェックして着信中の場合は、ピックアップ要求であることを示す情報を含んだＨ．３２３のファシリティ（ＦＡＣＩＬＩＴＹ）メッセージを発信エンドポイント装置１０２へ送信する（ステップＥ６１１）。図示していないが、着信中でない場合は、着信エンドポイント装置１０３は、ピックアップ要求失敗であることを示す情報を含んだＨ．３２３のファシリティ（ＦＡＣＩＬＩＴＹ）メッセージをピックアップ操作エンドポイント装置１０５へ送信する。ピックアップ操作エンドポイント装置１０５は、コールピックアップ可能なＩＰアドレスリストに従ってステップＥ６１０に戻ってリストの次の着信エンドポイント装置に対してピックアップ要求であることを示す情報を含んだＨ．３２３のファシリティ（ＦＡＣＩＬＩＴＹ）メッセージを送信する。ＩＰアドレスリストの全てに対して制御してピックアップ要求失敗である場合は、ピックアップ失敗である旨を可視又は可聴により操作者に知らせる。
【００４９】
発信エンドポイント装置１０２は、ステップＥ６１１においてピックアップ要求を受信すると、ピックアップ要求成功であることを示す情報を含んだＨ．３２３のファシリティ（ＦＡＣＩＬＩＴＹ）メッセージを着信エンドポイント装置１０３へ送信する（ステップＥ６１２）。着信エンドポイント装置１０３は、ピックアップ要求成功であることを示す情報を含んだＨ．３２３のファシリティ（ＦＡＣＩＬＩＴＹ）メッセージをピックアップ操作エンドポイント装置１０５へ送信する（ステップＥ６１３）。ここまでのステップで、コールピックアップの要求が受け入れられたことになる。
【００５０】
次に、接続動作について説明する。発信エンドポイント装置１０２は、コールピックアップ接続であることを示す情報を含んだＨ．３２３の参加要求（ＡＲＱ）メッセージをゲートキーパ装置１０１へ送信する（ステップＥ６１４）。ゲートキーパ装置１０１は、Ｈ．３２３の参加確認（ＡＣＦ）メッセージを発信エンドポイント装置１０２へ送信する（ステップＧ６１５）。発信エンドポイント装置１０２は、コールピックアップ接続要求であることを示す情報を含んだＨ．３２３の呼設定（ＳＥＴＵＰ）メッセージをピックアップ操作エンドポイント装置１０５へ送信する（ステップＥ６１６）。ピックアップ操作エンドポイント装置１０５は、Ｈ．３２３の参加要求（ＡＲＱ）メッセージをゲートキーパ装置１０１へ送信する（ステップＥ６１７）。ゲートキーパ装置１０１は、Ｈ．３２３の参加確認（ＡＣＦ）メッセージをピックアップ操作エンドポイント装置１０５へ送信する（ステップＧ６１８）。ピックアップ操作エンドポイント装置１０５は、コールピックアップ接続成功であることを示す情報を含んだＨ．３２３の応答（ＣＯＮＮ）メッセージを発信エンドポイント装置１０２へ送信する（ステップＥ６１９）。この時点で、発信エンドポイント装置１０２とピックアップ操作エンドポイント装置１０５は、それぞれネットワーク上で通話路の形成を行って、お互いに通話可能な状態となる（ステップＥ６２０）。
【００５１】
次に、呼び出した着信エンドポイント装置に対する呼出の停止動作について説明する。発信エンドポイント装置１０２は、Ｈ．３２３の解放完了（ＲＥＬ  ＣＯＭＰ）メッセージを着信エンドポイント装置１０３へ送信する（ステップＥ６２１）。また、発信エンドポイント装置１０２は、Ｈ．３２３の離脱要求（ＤＲＱ）メッセージをゲートキーパ装置１０１へ送信する（ステップＥ６２２）。ゲートキーパ装置１０１は、Ｈ．３２３の離脱確認（ＤＣＦ）メッセージを発信エンドポイント装置１０２へ送信する（ステップＧ６２３）。着信エンドポイント装置１０３は、Ｈ．３２３の離脱要求（ＤＲＱ）メッセージをゲートキーパ装置１０１へ送信する（ステップＥ６２４）。ゲートキーパ装置１０１は、Ｈ．３２３の離脱確認（ＤＣＦ）メッセージを着信エンドポイント装置１０３へ送信する（ステップＧ６２５）。
【００５２】
このように、本実施の形態１によれば、ゲートキーパ装置がコールピックアップに関連してエンドポイント装置のアドレスと動作状態とピックアップグループとを管理して、コールピックアップ操作時にこれらの管理情報を基にピックアップ可能なエンドポイント装置のＩＰアドレスリストを編集してピックアップ操作エンドポイント装置に対して通知するため、呼出の動作において着信エンドポイント装置がコールピックアップ操作可能なピックアップメンバー全てに対してコールピックアップ可能であることを通知する必要がなく、また、ピックアップ要求が成功した時も、ピックアップメンバーに対してピックアップ不可能であることを通知する必要もない。このため、ネットワークにかかる負荷を軽減することができる。さらに、本実施の形態１によれば、ゲートキーパ装置がピックアップ要求の参加要求（ＡＲＱ）メッセージに対して参加拒否（ＡＲＪ）メッセージを返信するため、ピックアップ操作エンドポイント装置は、呼設定（ＳＥＴＵＰ）メッセージではなくファシリティ（ＦＡＣＩＬＩＴＹ）メッセージによってピックアップ要求を着信エンドポイント装置に送信することができる。これにより、解放完了（ＲＥＬ  ＣＯＭＰ）メッセージ、離脱要求（ＤＲＱ）メッセージ及び離脱確認（ＤＣＦ）メッセージが不要となり、無駄な呼リソースを発生させることがなくなる。
【００５３】
本実施の形態１においては、ステップＧ７０３からステップＧ７０６の処理において、ゲートキーパ装置１０１がピックアップメンバーのエンドポイント装置の状態を予め設定された順番に判定してＩＰアドレスリストを編集するとしたが、編集の順番は、電話番号の若い順、着信の早い順、予め決められた優先順位の順、等により設定される。
【００５４】
また、本実施の形態１においては、ピックアップ操作エンドポイント装置がコールピックアップ操作時に自身のエイリアスアドレスとコールピックアップ操作の情報をゲートキーパ装置へ送信するとしたが、コールピックアップする着信エンドポイント装置が指定された場合、前記情報に加えてコールピックアップする着信エンドポイント装置のエイリアスアドレスを送信することによりそのエイリアスアドレスからエンドポイント装置の状態を判定してＩＰアドレスリストを編集し、参加拒否（ＡＲＪ）メッセージをピックアップ操作エンドポイント装置へ送信するとしてもよい。
【００５５】
また、本実施の形態１においては、ピックアップ操作エンドポイント装置がコールピックアップ操作時に自身のエイリアスアドレスとコールピックアップ操作の情報をゲートキーパ装置へ送信するとしたが、コールピックアップする着信エンドポイント装置が他のピックアップグループの場合でそのグループを指定された場合、前記情報に加えてコールピックアップする着信エンドポイント装置のピックアップグループ番号を送信することによりそのグループ番号からそのグループに属するピックアップメンバーのエンドポイント装置の状態を判定してＩＰアドレスリストを編集し、参加拒否（ＡＲＪ）メッセージをピックアップ操作エンドポイント装置へ送信するとしてもよい。例えば、グループ番号“２”を指定してエンドポイント装置１０８（エイリアスアドレス“３００”）をピックアップする場合が相当する。
【００５６】
（実施の形態２）
次に、本発明の実施の形態２について、図面を参照して説明する。
【００５７】
図８は、本発明の実施の形態２に係るゲートキーパ装置のブロック図である。本発明の実施の形態２においては、本実施の形態１と同じ構成要素には同じ参照符号を付されその説明が省略される。
【００５８】
ゲートキーパ装置８００は、ピックアップ情報メモリ装置８０１、コールピックアップ制御部８０２及びＴＣＰ／ＩＰ制御部２０３を備えており、ＬＡＮに接続されている。ピックアップ情報メモリ装置８０１は、コールピックアップに関連してエンドポイント装置の情報を管理するメモリ装置であり、ＩＰアドレス記憶部２０４と、エンドポイント状態記憶部２０５と、ピックアップグループ記憶部２０６と、特番情報記憶部８０３と、を有している。図９は、特番情報記憶部８０３の内容の一例を説明するための図である。図９に示すように、特番情報記憶部８０３は、特定番号が意味する内容を記憶している。
【００５９】
コールピックアップ制御部８０２は、コールピックアップ操作が行われた時に、ピックアップ情報メモリ装置８０１の管理情報に基づいてコールピックアップ制御を行う。コールピックアップ制御部８０２は、ピックアップメンバー認識部２０７と、着信エンドポイント抽出部２０８と、ＩＰアドレスリスト編集部２０９と、特定番号認識部８０４と、を有している。特定番号認識部８０４は、何らかの意味を有する特定番号がダイヤルされて送信された場合に、その特定番号をピックアップ情報メモリ装置８０１の特番情報記憶部８０３を参照してその意味を解釈して認識する。例えば、特定番号“１０”の場合はコールピックアップ操作を意味する。コールピックアップ制御部８０２は、特定番号認識部８０４でコールピックアップ操作を認識すると、コールピックアップ制御を行う。
【００６０】
次に、本発明の実施の形態２に係るゲートキーパ装置８００の動作について、図１、図６、図８、図９及び図１０を参照して説明する。図１０は、本実施の形態２に係るゲートキーパ装置の動作を説明するためのフローチャートである。図６及び図１０において、エンドポイント装置の動作はステップＥの番号を付して示され、ゲートキーパ装置の動作はステップＧの番号を付して示される。
【００６１】
図６におけるステップＥ６０１からステップＥ６０７の呼出の動作については、本実施の形態１と同様であるので説明を省略する。エンドポイント装置１０５がコールピックアップするために特定番号“１０”をダイヤルすると、ピックアップ操作エンドポイント装置１０５は、自身のエイリアスアドレス“２０３”と特定番号“１０”を含んだＨ．３２３の参加要求（ＡＲＱ）メッセージをゲートキーパ装置８００へ送信する（ステップＥ６０８）。ゲートキーパ装置８００は、ステップＥ６０８において参加要求（ＡＲＱ）メッセージを受け取り、ステップＧ６０９において参加拒否（ＡＲＪ）メッセージを送信するまで、図１０に示す内部処理を行う。
【００６２】
ステップＧ１００１において、ゲートキーパ装置８００のコールピックアップ制御部８０２は、参加要求（ＡＲＱ）メッセージを受信して特定番号“１０”とエイリアスアドレス“２０３”を取得する。ステップＧ１００２において、コールピックアップ制御部８０２の特定番号認識部８０４が、取得した特定番号“１０”を基に特番情報記憶部８０３を参照して“コールピックアップ操作”であることを認識する。ステップＧ１００３からステップＧ１００８については、本実施の形態１におけるステップＧ７０２からステップＧ７０７と同様であるので説明を省略する。
【００６３】
ゲートキーパ装置８００は、ステップＧ１００１からステップＧ１００８の処理を行って、コールピックアップ可能なエンドポイント装置のＩＰアドレスリストを含んだＨ．３２３の参加拒否（ＡＲＪ）メッセージをピックアップ操作エンドポイント装置１０５へ送信する（ステップＧ６０９）。以降、ステップＥ６１０からステップＧ６２５まで本実施の形態１と同様の動作であり、コールピックアップ要求の成功から接続動作及び呼出停止の動作となる。
【００６４】
このように、本発明の実施の形態２によれば、ゲートキーパ装置が特定番号の意味を解釈してコールピックアップ操作を認識するため、エンドポイント装置にピックアップボタンが無い場合でも特定番号をダイヤルしてその特定番号を送信するだけでコールピックアップ操作を行うことができ、エンドポイント装置の制御を簡略化することができる。
【００６５】
【発明の効果】
以上説明したように、本発明によれば、ＴＴＣ標準ＪＴ−Ｈ３２３又はＩＴＵ−Ｔ勧告Ｈ．３２３に基づくマルチメディア通信システムのコールピックアップ制御において、ネットワークの負荷を軽減することができ、かつ、無駄な呼リソースを軽減することができる。
【図面の簡単な説明】
【図１】本発明の実施の形態１に係るマルチメディア通信システムの構成を示すシステム図
【図２】本発明の実施の形態１に係るゲートキーパ装置の構成を示すブロック図
【図３】実施の形態１に係るゲートキーパ装置のＩＰアドレス記憶部の内容の一例を説明するための図
【図４】実施の形態１に係るゲートキーパ装置のエンドポイント状態記憶部の内容の一例を説明するための図
【図５】実施の形態１に係るゲートキーパ装置のピックアップグループ記憶部の内容の一例を説明するための図
【図６】実施の形態１に係るマルチメディア通信システムの動作を説明するためのシーケンス図
【図７】実施の形態１に係るゲートキーパ装置の動作を説明するためのフローチャート
【図８】本発明の実施の形態２に係るゲートキーパ装置の構成を示すブロック図
【図９】実施の形態２に係るゲートキーパ装置の特番情報記憶部の内容の一例を説明するための図
【図１０】実施の形態２に係るゲートキーパ装置の動作を説明するためのフローチャート
【図１１】従来のマルチメディア通信システムの構成を示すシステム図
【図１２】従来のゲートキーパ装置の構成を示すブロック図
【図１３】従来のマルチメディア通信システムの動作を説明するためのシーケンス図
【図１４】従来のマルチメディア通信システムの動作を説明するためのシーケンス図
【符号の説明】
１００  マルチメディア通信システム
１０１、８００  ゲートキーパ装置
１０２、１０３、１０４、１０５、１０６、１０７、１０８  エンドポイント装置
２０１、８０１  ピックアップ情報メモリ装置
２０２、８０２  コールピックアップ制御部
２０３  ＴＣＰ／ＩＰ制御部
２０４  ＩＰアドレス記憶部
２０５  エンドポイント状態記憶部
２０６  ピックアップグループ記憶部
２０７  ピックアップメンバー認識部
２０８  着信エンドポイント抽出部
２０９  ＩＰアドレス編集部
８０３  特番情報記憶部
８０４  特定番号認識部
１０  マルチメディア通信システム
１１  ゲートキーパ装置
１２、１３、１４、１５、１６、１７  エンドポイント装置
１８  ＩＰアドレスメモリ部
１９  呼接続制御部
２０  ＴＣＰ／ＩＰ制御部
【図１】
2005012313.tif 000003
【図２】
2005012313.tif 000004
【図３】
2005012313.tif 000005
【図４】
2005012313.tif 000006
【図５】
2005012313.tif 000007
【図６】
2005012313.tif 000008
【図７】
2005012313.tif 000009
【図８】
2005012313.tif 000010
【図９】
2005012313.tif 000011
【図１０】
2005012313.tif 000012
【図１１】
2005012313.tif 000013
【図１２】
2005012313.tif 000014
【図１３】
2005012313.tif 000015
【図１４】
2005012313.tif 000016